(57)【要約】【課題】車室内の空間を有効に利用すると共に、記録媒体が不正に抜取られることを未然に回避し、安全性を高める。【解決手段】車載端末１は、蓋７が第１の可動位置に可動すると（（ｂ）参照）、ＣＤ３がＣＤ用スロット４に対して着脱可能になると同時にＥＴＣカード５がＥＴＣカード用スロット６に対して着脱不可能になり、認証が正であることを条件として蓋７が第２の可動位置に可動すると（（ｃ）参照）、ＥＴＣカード５がＥＴＣカード用スロット６に対して着脱可能になる。ＣＤ３およびＥＴＣカード５という複数の記録媒体を同時に着脱可能な構造により、車室内の空間を有効に利用することができると共に、ＥＴＣカード５が不正に抜取られることを未然に回避することにより、安全性を高めることができる。【選択図】　図１
2004102401.tif 000002
【特許請求の範囲】
【請求項１】
記録媒体が着脱可能な複数のスロットを備えた車載端末であって、
第１の状態では、記録媒体が複数のスロットのうちの一のスロットに対して着脱可能になると同時に記録媒体が複数のスロットのうちの他のスロットに対して着脱不可能になり、第２の状態では、認証が正であることを条件として記録媒体が他のスロットに対して着脱可能になることを特徴とする車載端末。
【請求項２】
請求項１に記載した車載端末において、
複数のスロットの各々の着脱口を開閉する蓋と、
前記蓋を可動させる制御手段とを備え、
前記制御手段は、第１の状態では、前記蓋を一のスロットの着脱口が開放されると同時に他のスロットの着脱口が閉鎖される第１の可動位置に可動させ、第２の状態では、認証が正であることを条件として前記蓋を他のスロットの着脱口が開放される第２の可動位置に可動させることを特徴とする車載端末。
【請求項３】
請求項２に記載した車載端末において、
タッチ式の数字キーや文字キーを表示画面上に表示可能な表示手段を備え、
前記制御手段は、前記表示手段の表示画面上に表示された数字キーや文字キーが操作されて入力された数字列や文字列を識別することにより、認証の正否を判定することを特徴とする車載端末。
【請求項４】
請求項３に記載した車載端末において、
前記表示手段は、数字キーや文字キーをランダムな配列にしたがって表示画面上に表示することを特徴とする車載端末。
【請求項５】
請求項３または４に記載した車載端末において、
車室内のディンに取付可能に構成され、
前記表示手段は、前記蓋が第１の可動位置に可動したときに表示画面が上方を向くように前記蓋に配置されていることを特徴とする車載端末。
【請求項６】
請求項１ないし５のいずれかに記載した車載端末において、
一のスロットが上側に配置されていると共に、他のスロットが下側に配置されていることを特徴とする車載端末。
【請求項７】
請求項１ないし６のいずれかに記載した車載端末において、
音楽や画像などが記録されたＣＤやＤＶＤなどの記録媒体が一のスロットに対して着脱可能に構成されていると共に、ＥＴＣカードの記録媒体が他のスロットに対して着脱可能に構成されていることを特徴とする車載端末。
【発明の詳細な説明】
【０００１】
【発明の属する技術分野】
本発明は、記録媒体が着脱可能な複数のスロットを備えた車載端末に関する。
【０００２】
【発明が解決しようとする課題】
従来より、車両が有料道路の料金所をノンストップで通行することを可能とするＥＴＣ（Ｅｌｅｃｔｒｏｎｉｃ　Ｔｏｌｌ　Ｃｏｌｌｅｃｔｉｏｎ　Ｓｙｓｔｅｍ）が普及している。この場合、車両側では、ＥＴＣカードがＥＴＣ車載器に装着されていることが前提となり、ユーザは、一般的に、ＥＴＣを利用する前にＥＴＣカードをＥＴＣ車載器に装着し、ＥＴＣを利用した後にＥＴＣカードをＥＴＣ車載器から抜取るようになっている。ところが、ＥＴＣを利用する毎に、ＥＴＣカードをＥＴＣ車載器に装着したり、ＥＴＣカードをＥＴＣ車載器から抜取るような構成では、それらの操作が煩わしいという問題がある。
【０００３】
この場合、ＥＴＣカードをＥＴＣ車載器に装着したままにしておくことにより、上記したような操作が煩わしいという問題を解決することができるが、従来のＥＴＣ車載器は、ＥＴＣカードをＥＴＣ車載器から抜取るときの制限が無い構成となっているので、例えばＥＴＣカードをＥＴＣ車載器に装着したままで駐車すると、ＥＴＣカードが盗まれるなどの被害を受ける虞があり、安全性に劣るという問題がある。
【０００４】
その一方、近年では、車室内の限られた空間を有効に利用するために、音楽や画像などが記録されたＣＤ（Ｃｏｍｐａｃｔ　Ｄｉｓｋ）やＤＶＤ（Ｄｉｇｉｔａｌ　Ｖｅｒｓａｔｉｌｅ　Ｄｉｓｋ）などが装着可能な機器と、上記したＥＴＣカードが装着可能なＥＴＣ車載器とが一体化された車載端末が考えられている。
【０００５】
本発明は、上記した事情に鑑みてなされたものであり、その目的は、ＣＤ、ＤＶＤ或いはＥＴＣカードなどの複数の記録媒体が同時に着脱可能な構造とすることにより、車室内の空間を有効に利用することができると共に、記録媒体が不正に抜取られることを未然に回避することにより、安全性を高めることができる車載端末を提供することにある。
【０００６】
【課題を解決するための手段】
請求項１に記載した車載端末によれば、第１の状態では、記録媒体が複数のスロットのうちの一のスロットに対して着脱可能になると同時に記録媒体が複数のスロットのうちの他のスロットに対して着脱不可能になり、これに対して、第２の状態では、認証が正であることを条件として記録媒体が他のスロットに対して着脱可能になるように構成した。したがって、記録媒体を一のスロットに対して着脱すると同時に記録媒体を他のスロットに対して着脱する、つまり、複数の記録媒体を同時に着脱可能な構造とすることにより、車室内の空間を有効に利用することができると共に、認証が正であることを条件として記録媒体を他のスロットに対して着脱可能とし、記録媒体が不正に抜取られることを未然に回避することにより、安全性を高めることができる。
【０００７】
請求項２に記載した車載端末によれば、制御手段は、第１の状態では、蓋を一のスロットの着脱口が開放されると同時に他のスロットの着脱口が閉鎖される第１の可動位置に可動させ、これに対して、第２の状態では、認証が正であることを条件として蓋を他のスロットの着脱口が開放される第２の可動位置に可動させるように構成した。したがって、蓋が開閉動作を行うという簡単な構造により、記録媒体の着脱に制限を与えることができ、また、蓋が着脱口を閉鎖することにより、スロット内への塵埃の侵入を防止することができる。
【０００８】
請求項３に記載した車載端末によれば、制御手段は、表示手段の表示画面上に表示された数字キーや文字キーが操作されて入力された数字列や文字列を識別することにより、認証の正否を判定するように構成したので、ユーザが正規の数字列や文字列を入力することにより、記録媒体を他のスロットに対して着脱可能とすることができる。
【０００９】
請求項４に記載した車載端末によれば、表示手段は、数字キーや文字キーをランダムな配列にしたがって表示画面上に表示可能に構成したので、ユーザが正規の数字列や文字列を入力するに際して、表示画面上における操作位置が毎回同じになることがなく、例えば表示画面上に付着した操作痕（指紋など）に基づいて正規の数字列や文字列が不正に他人に読取られることがなく、安全性をより高めることができる。
【００１０】
請求項５に記載した車載端末によれば、車室内のディンに取付可能に構成され、表示手段は、蓋が第１の可動位置に可動したときに表示画面が上方を向くように蓋に配置されるように構成したので、ユーザが見下ろす格好で表示画面上に表示された数字キーや文字キーを操作することができ、操作性を高めることができる。
【００１１】
請求項６に記載した車載端末によれば、一のスロットが上側に配置されていると共に、他のスロットが下側に配置されるように構成したので、記録媒体を着脱するに際して認証を必要としない一のスロットが上側に配置され、記録媒体を着脱するに際して認証を必要とする他のスロットが下側に配置されていることにより、操作性をより高めることができる。
【００１２】
【発明の実施の形態】
以下、本発明の一実施例について、図面を参照して説明する。
まず、図２は、車載端末の構成を概略的に示している。車載端末１は、箱型の形状をなす筐体２により構成されており、例えば音楽が記録されたＣＤ（Ｃｏｍｐａｃｔ　Ｄｉｓｋ）３（本発明でいう記録媒体）が着脱可能なＣＤ用スロット４（本発明でいう一のスロット）が上側に配設されていると共に、ＥＴＣ（Ｅｌｅｃｔｒｏｎｉｃ　Ｔｏｌｌ　Ｃｏｌｌｅｃｔｉｏｎ　Ｓｙｓｔｅｍ）カード５（本発明でいう記録媒体）が着脱可能なＥＴＣカード用スロット６（本発明でいう他のスロット）が下側に配設されている。
【００１３】
筐体２の正面部には、蓋７が可動可能に配設されている。蓋７は、図１にも示すように、通常位置（図１中（ａ）にて示す位置）、第１の可動位置（図１中（ｂ）にて示す位置）および第２の可動位置（図１中（ｃ）にて示す位置）の各位置で静止可能となっており、通常位置ではＣＤ用スロット４の着脱口４ａおよびＥＴＣカード用スロット６の着脱口６ａの双方を閉鎖し、第１の可動位置ではＣＤ用スロット４の着脱口４ａを開放すると共にＥＴＣカード用スロット６の着脱口６ａを閉鎖し、第２の可動位置ではＣＤ用スロット４の着脱口４ａおよびＥＴＣカード用スロット６の着脱口６ａの双方を開放する構成となっている。
【００１４】
尚、詳しくは説明しないが、ＣＤ用スロット４にはＣＤ着脱機構（図示せず）が併設されており、ユーザの操作によりＣＤ３がＣＤ用スロット４内の所定の挿入位置まで挿入されると、ＣＤ着脱機構が作動することにより、ＣＤ３が所定の挿入位置から正規の装着位置まで自動的に移動される（装着される）と共に、イジェクトボタン（図示せず）が操作されると、ＣＤ着脱機構が作動することにより、ＣＤ３が正規の装着位置から所定の抜取位置まで自動的に移動される（吐出される）ようになっている。
【００１５】
これと同様にして、ＥＴＣカード用スロット６にはＥＴＣカード着脱機構（図示せず）が併設されており、ユーザの操作によりＥＴＣカード５がＥＴＣカード用スロット６内の所定の挿入位置まで挿入されると、ＥＴＣカード着脱機構が作動することにより、ＥＴＣカード５が所定の挿入位置から正規の装着位置まで自動的に移動される（装着される）と共に、イジェクトボタン（図示せず）が操作されると、ＥＴＣカード着脱機構が作動することにより、ＥＴＣカード５が正規の装着位置から所定の抜取位置まで自動的に移動される（吐出される）ようになっている。
【００１６】
蓋７の正面部には、複数（この場合は、４個）のメカニカルなキーが配列されてなるキーボード８が配設されていると共に、液晶ディスプレイ９（本発明でいう表示手段）が配設されている。この場合、メカニカルなキーとしては、例えば電源を投入するための「電源」キー、蓋７の開放動作を行わせるための「開放」キーおよび蓋７の閉鎖動作を行わせるための「閉鎖」キーなどである。また、液晶ディスプレイ９には、タッチ式の数字キーや文字キーがタッチキーとして表示画面上に表示されるようになっている。そして、このように構成されてなる車載端末１は、図３に示すように、車室１０内のディン１１に取付可能となっている。
【００１７】
図４は、上記した車載端末１の電気的な構成を機能ブロック図として示している。制御回路１２（本発明でいう制御手段）は、マイクロコンピュータを主体として構成され、車載端末１の動作全般を制御する機能を有している。キーボード８は、いずれかのメカニカルなキーが操作されると、操作された内容を表す操作信号を制御回路１２に出力する。液晶ディスプレイ９は、制御回路１２から表示指令信号が入力されると、入力された表示指令信号に基づいた表示情報を表示画面上に表示すると共に、タッチキーを表示画面上に表示させているときに、いずれかのタッチキーが操作されると、操作された内容を表す操作信号を制御回路１２に出力する。駆動機構１３は、蓋７を可動するもので、制御回路１２から駆動信号が入力されると、入力された駆動信号に基づいて蓋７を可動する。
【００１８】
また、ＣＤ用スロット４は、ＣＤ３が装着されていると、装着信号を制御回路１２に出力し、制御回路１２は、ＣＤ用スロット４から装着信号が入力されていることにより、ＣＤ３がＣＤ用スロット４に装着されていることを認識可能となっている。さらに、ＥＴＣカード用スロット６は、ＥＴＣカード５が装着されていると、装着信号を制御回路１２に出力し、制御回路１２は、ＥＴＣカード用スロット６から装着信号が入力されていることにより、ＥＴＣカード５がＥＴＣカード用スロット６に装着されていることを認識可能となっている。
【００１９】
次に、上記した構成の作用について、図５ないし７を参照して説明する。尚、ここでは、蓋７が通常位置で静止している場合を前提として説明する。
制御回路１２は、キーボード８から入力された操作信号に基づいてキーボード８にて「開放」キーが操作されたことを検出し、蓋７に開放動作を行わせるための操作が行われたことを検出すると（ステップＳ１にて「ＹＥＳ」）、ＥＴＣカード用スロット６から装着信号が入力されているか否かを判定することにより、ＥＴＣカード５がＥＴＣカード用スロット６に装着されているか否かを判定する（ステップＳ２）。
【００２０】
さて、制御回路１２は、ＥＴＣカード用スロット６から装着信号が入力されており、ＥＴＣカード５がＥＴＣカード用スロット６に装着されていると判定すると（ステップＳ２にて「ＹＥＳ」）、認証設定が有効であるか否かを判定する（ステップＳ３）。この場合、認証設定とは、ＥＴＣカード５がＥＴＣカード用スロット６から抜取られるときに認証を必要とするか否かの判定であり、ユーザは、予め認証設定を有効に設定しておくことにより、ＥＴＣカード５を抜取るときに認証を必要とすることができ、一方、予め認証設定を無効に設定しておくことにより、ＥＴＣカード５を抜取るときに認証を不要とすることができる。
【００２１】
そして、制御回路１２は、認証設定が有効であることを判定すると（ステップＳ３にて「ＹＥＳ」）、駆動信号を駆動機構１３に出力することにより、蓋７を通常位置から第１の可動位置まで可動させる（ステップＳ４）。これにより、ＣＤ用スロット４の着脱口が開放されることになるので、ユーザは、ＣＤ３をＣＤ用スロット４に装着したり、ＣＤ３をＣＤ用スロット４から抜取ることができる。尚、このとき、蓋７は、上記した図１にも説明したように、液晶ディスプレイ９の表示画面が上方を向くように可動する。
【００２２】
次いで、制御回路１２は、表示指令信号を液晶ディスプレイ９に出力することにより、図６に示すように、例えば「暗証番号を入力して下さい」という暗証番号の入力を促す表示ガイダンスを液晶ディスプレイ９の表示画面上に表示させると共に、ユーザが暗証番号を入力するためのタッチ式の「０」〜「９」の数字キーを液晶ディスプレイ９の表示画面上に表示させ（ステップＳ５）、カウンタｎに「０」を設定する（ステップＳ６）。ここで、ユーザは、タッチ式の数字キーを操作し、例えば４桁の数字からなる暗証番号を入力する。
【００２３】
さて、制御回路１２は、液晶ディスプレイ９から入力された操作信号に基づいて液晶ディスプレイ９にてタッチ式の数字キーが操作されたことを検出し、暗証番号を入力するための操作が行われたことを検出すると（ステップＳ７にて「ＹＥＳ」）、入力された暗証番号と予め設定されている正規の暗証番号とを比較することにより、認証する（ステップＳ８）。この場合、正規の暗証番号は、端末に固有の番号であっても良いし、ユーザにより任意に設定される可変な番号であっても良い。
【００２４】
そして、制御回路１２は、入力された暗証番号と予め設定されている正規の暗証番号とが一致しており、認証が正であることを判定すると（ステップＳ９にて「ＹＥＳ」）、駆動信号を駆動機構１３に出力することにより、蓋７を第１の可動位置から第２の可動位置まで可動させる（ステップＳ１０）。これにより、ＥＴＣカード用スロット６の着脱口が開放されることになるので、ユーザは、ＥＴＣカード５をＥＴＣカード用スロット６に装着したり、ＥＴＣカード５をＥＴＣカード用スロット６から抜取ることができる。
【００２５】
これに対して、制御回路１２は、入力された暗証番号と予め設定されている正規の暗証番号とが一致しておらず、認証が否であることを判定すると（ステップＳ９にて「ＮＯ」）、カウンタｎをインクリメントし（ステップＳ１１）、インクリメントされたカウンタｎと規定値Ｎ（例えばＮ＝「３」）とを比較する（ステップＳ１２）。この場合、規定値Ｎは、暗証番号の入力の回数に制限を与える値であり、端末に固有の値であっても良いし、ユーザにより任意に設定される可変な値であっても良い。
【００２６】
そして、制御回路１２は、インクリメントされたカウンタｎが規定値Ｎ未満であることを判定すると（ステップＳ１２にて「ＹＥＳ」）、上記したステップＳ７に戻る。一方、制御回路１２は、インクリメントされたカウンタｎが規定値Ｎ以上であることを判定すると（ステップＳ１２にて「ＮＯ」）、蓋７を第１の可動位置から第２の可動位置まで可動させることなく、処理を終了する。
【００２７】
尚、制御回路１２は、ＥＴＣカード５がＥＴＣカード用スロット６に装着されていないと判定したり（ステップＳ２にて「ＮＯ」）、認証設定が無効であることを判定すると（ステップＳ３にて「ＮＯ」）、駆動信号を駆動機構１３に出力することにより、蓋７を通常位置から第２の可動位置まで第１の可動位置で静止させることなく可動させる（ステップＳ１３）。
【００２８】
ところで、ユーザが暗証番号を入力するためのタッチ式の「０」〜「９」の数字キーを液晶ディスプレイ９の表示画面上に表示させるに際しては、図７に示すように、「０」〜「９」の数字キーをランダムな配列にしたがって表示させる構成であっても良い。また、「０」〜「９」の数字キーに代わって、例えば「Ａ」〜「Ｚ」の文字（英字）キーを表示させ、文字の入力により認証する構成であっても良い。
【００２９】
以上に説明したように本実施例によれば、車載端末１において、蓋７が第１の可動位置に可動した状態では、ＣＤ３がＣＤ用スロット４に対して着脱可能になると同時にＥＴＣカード５がＥＴＣカード用スロット６に対して着脱不可能になり、これに対して、認証が正であることを条件として蓋７が第２の可動位置に可動した状態では、ＥＴＣカード５がＥＴＣカード用スロット６に対して着脱可能になるように構成したので、ＣＤ３およびＥＴＣカード５という複数の記録媒体を同時に着脱可能な構造とすることにより、車室１０内の空間を有効に利用することができると共に、認証が正であることを条件としてＥＴＣカード５を着脱可能とし、ＥＴＣカード５が不正に抜取られることを未然に回避することにより、安全性を高めることができる。
【００３０】
また、この場合、蓋７が開閉動作を行うという簡単な構造により、ＣＤ３およびＥＴＣカード５の着脱に制限を与えることができ、蓋７がＣＤ用スロット４の着脱口４ａやＥＴＣカード用スロット６の着脱口６ａを閉鎖することにより、ＣＤ用スロット４内やＥＴＣカード用スロット６内への塵埃の侵入を防止することができる。
【００３１】
また、この場合、数字キーをランダムな配列にしたがって表示画面上に表示するように構成したので、ユーザが暗証番号に相当する正規の数字列を入力するに際して、表示画面上における操作位置が毎回同じになることがなく、例えば表示画面上に付着した操作痕（指紋など）に基づいて暗証番号が不正に他人に読取られることがなく、安全性をより高めることができる。
【００３２】
また、この場合、車室１０内のディン１１に取付可能に構成され、蓋７が第１の可動位置に可動したときに液晶ディスプレイ９の表示画面が上方を向くように構成したので、ユーザが見下ろす格好で表示画面上に表示された数字キーを操作することができ、操作性を高めることができる。
【００３３】
さらに、この場合、ＣＤ３が装着されるＣＤ用スロット４が上側に配置されていると共に、ＥＴＣカード５が装着されるＥＴＣカード用スロット６が下側に配置されるように構成したので、ＣＤ３を着脱するに際して認証を必要としないＣＤ用スロット４が上側に配置され、ＥＴＣカード５を着脱するに際して認証を必要とするＥＴＣカード用スロット６が下側に配置されていることにより、操作性をより高めることができる。
【００３４】
本発明は、上記した実施例にのみ限定されるものではなく、以下のように変形または拡張することができる。
本発明でいう一のスロットに相当するスロットが複数配設されている構成であっても良く、本発明でいう他のスロットに相当するスロットが複数配設されている構成であっても良い。
記録媒体は、ＤＶＤ（Ｄｉｇｉｔａｌ　Ｖｅｒｓａｔｉｌｅ　Ｄｉｓｋ）やクレジットカードなどであっても良い。
【図面の簡単な説明】
【図１】本発明の一実施例を概略的に示す図
【図２】外観斜視図
【図３】車載端末がディンに取付けられた態様を概略的に示す図
【図４】電気的な構成を示す機能ブロック図
【図５】制御内容を示すフローチャート
【図６】表示の一例を示す図
【図７】図６相当図
【符号の説明】
図面中、１は車載端末、３はＣＤ（記録媒体）、４はＣＤ用スロット（一のスロット）、４ａは着脱口、５はＥＴＣカード（記録媒体）、６はＥＴＣカード用スロット（他のスロット）、６ａは着脱口、７は蓋、９は液晶ディスプレイ（表示手段）、１２は制御回路（制御手段）である。
【図１】
2004102401.tif 000003
【図２】
2004102401.tif 000004
【図３】
2004102401.tif 000005
【図４】
2004102401.tif 000006
【図５】
2004102401.tif 000007
【図６】
2004102401.tif 000008
【図７】
2004102401.tif 000009